(57)【特許請求の範囲】
【請求項１】
異なるリングネットワークのノード装置間に接続される複数の通信回線を介して光通信を行う光通信装置において、前記通信回線で送信可能な最大値の通信容量Ｍを送信し、前記通信回線の障害発生時にバックアップするように該通信回線で接続されていないノード装置間を接続する予備回線を備え、前記通信回線は２回線であり、前記予備回線は２回線であり、前記通信回線の各々で通信容量Ｍを送信し、前記予備回線の各々で現用のＭ／２の通信容量を送信し、前記通信回線のいずれかの障害発生時に前記予備回線の各々で予備のＭ／２の通信容量を送信するようにしたことを特徴とする光通信装置。
【請求項２】
異なるリングネットワークのノード装置間に接続される複数の通信回線を介して光通信を行う光通信装置において、前記通信回線で送信可能な最大値の通信容量Ｍを送信し、前記通信回線の障害発生時にバックアップするように該通信回線で接続されていないノード装置間を接続する予備回線を備え、前記通信回線は３回線であり、前記予備回線は４回線であり、前記通信回線の各々で通信容量Ｍを送信し、前記予備回線の各々で現用の３Ｍ／４の通信容量を送信し、前記通信回線のいずれかの障害発生時に前記予備回線の各々で予備のＭ／４の通信容量を送信するようにしたことを特徴とする光通信装置。
【発明の詳細な説明】
【０００１】
【発明の属する技術分野】
この発明は、異なるリングネットワークのノード装置間の通信に利用する光通信装置に関するものである。
【０００２】
【従来の技術】
図４は、従来のリングネットワークのノード装置間通信における光通信装置を示す構成図であり、図において、１及び２は各々リングネットワーク、Ａ１及びＢ１はリングネットワーク１のノード装置、Ａ２及びＢ２はリングネットワーク２のノード装置、３はノード装置Ａ１−Ａ２ルートの通信回線、４はノード装置Ｂ１−Ｂ２ルートの通信回線である。
【０００３】
次に動作について説明する。
リングネットワーク１及び２間のノード装置間通信は次のようにして行われる。予めノード装置間の通信容量Ｍ〔ｂ／ｓ〕を現用と予備に分けておき、障害発生時に予備容量を用いて冗長系ルートを構成するようにしている。すなわち、図４（ｂ）に示すように、通信回線３及び４の通信容量Ｍを、現用容量がＭ／２、予備容量がＭ／２となるようにに分けておき、平常時は通信回線３及び４の各々でＭ／２の通信容量で通信する。そして、通信回線３に障害が発生すると、ノード装置Ａ１→Ｂ１→通信回線４を通るルートを用いて予備容量Ｍ／２を送信することでバックアップする。同様に、通信回線４に障害が発生すると、ノード装置Ｂ１→Ａ１→通信回線３を通るルートを用いて予備容量Ｍ／２を送信してバックアップする。
【０００４】
【発明が解決しようとする課題】
従来の光通信装置は以上のように構成されているので、１ルート当たりの現用系の通信容量はＭ／２であり、回線利用効率は５０％という低利用率となるという課題があった。
この発明は上記のような課題を解決するためになされたもので、現用系の通信容量を減らすことなく、回線利用効率の高い冗長系を有する光通信装置を提供することを目的とする。
【０００５】
【課題を解決するための手段】
この発明に係る光通信装置は、通信回線で送信可能な最大値の通信容量Ｍを送信し、前記通信回線の障害発生時にバックアップするように該通信回線で接続されていないノード装置間を接続する予備回線を備え、通信回線は２回線であり、予備回線は２回線であり、前記通信回線の各々で通信容量Ｍを送信し、前記予備回線の各々で現用のＭ／２の通信容量を送信し、前記通信回線のいずれかの障害発生時に前記予備回線の各々で予備のＭ／２の通信容量を送信するようにしたことを特徴とするものである。
【０００６】
この発明に係る光通信装置は、通信回線で送信可能な最大値の通信容量Ｍを送信し、前記通信回線の障害発生時にバックアップするように該通信回線で接続されていないノード装置間を接続する予備回線を備え、通信回線は３回線であり、予備回線は４回線であり、通信回線の各々で通信容量Ｍを送信し、前記予備回線の各々で現用の３Ｍ／４の通信容量を送信し、前記通信回線のいずれかの障害発生時に前記予備回線の各々で予備のＭ／４の通信容量を送信するようにしたことを特徴とするものである。
【０００７】
【発明の実施の形態】
以下、この発明の実施の一形態を説明する。
実施の形態１．
図１（ａ）は、この発明の実施の形態１による光通信装置を示す概略構成図であり、図１（ａ）において、１及び２はリングネットワーク、Ａ１及びＢ１はリングネットワーク１のノード装置、Ａ２及びＢ２はリングネットワーク２のノード装置、３はノード装置Ａ１−Ａ２ルートの通信回線、４はノード装置Ｂ１−Ｂ２ルートの通信回線、５はノード装置Ｂ１−Ａ２で予備系ルートを構成する予備回線である。
【０００８】
次に動作について説明する。
リングネットワーク１及び２間のノード装置間通信は次のようにして行われる。すなわち、平常時はノード装置Ａ１−Ａ２ルートの通信回線３及びノード装置Ｂ１−Ｂ２ルートの通信回線４を使用し、各々通信容量Ｍをもって通信する。なお、この通信容量Ｍとは通信回線３及び４で送信可能な最大容量のことである（以下同じ）。そして、通信回線３又は４に障害が発生すると、ノード装置Ａ１→Ｂ１→予備回線５を通るルートを用いてバックアップする。
【０００９】
この状態を図１（ｂ）の図表に示している。この図表に示すように、通信回線３及び４で現用の通信容量Ｍで通信が行われ、そのとき予備回線５は使用されていない。そして、通信回線３又は４に障害が発生すると、予備回線５を用いて通信容量Ｍで通信が行われる。
【００１０】
すなわち、実施の形態１では、３本の回線３，４，５のうちの２本の回線で２Ｍの通信容量で通信が行われることになるので、１ルート当たりの平均通信容量は２Ｍ／３となる。したがって、現用系の通信容量Ｍを減らすことなく冗長系の構成が可能となり、従来に比べて回線利用効率が向上する。
【００１１】
実施の形態２．
図２（ａ）はこの発明の実施の形態２による光通信装置を示す概略構成図であり、前記図１（ａ）と同一部分には同一符号を附して重複説明を省略する。図２（ａ）において、５は実施の形態１と同じノード装置Ｂ１−Ａ２の予備系ルートを構成する予備回線、６はノード装置Ａ１−Ｂ２の予備系ルートを構成する予備回線である。
【００１２】
次に動作について説明する。
平常時は現用系の通信回線３，４を使用し、各々現用の通信容量Ｍで通信すると共に、予備回線５，６の各々でも現用のＭ／２の通信容量で通信する。そして、通信回線３又は４に障害が発生すると、予備回線５及び６の各々でさらに予備のＭ／２の通信容量を加えて送信してバックアップする。
【００１３】
この状態を図２（ｂ）の図表に示している。この図表に示すように、通信回線３及び４で現用の通信容量Ｍで通信が行われると共に、予備回線５及び６でもＭ／２の現用系の通信容量で送信される。そして、通信回線３又は４に障害が発生すると、予備回線５及び６の各々に予備のＭ／２の通信容量が加わり、両回線５，６を合わせて２Ｍの通信容量で通信が行われる。
【００１４】
すなわち、実施の形態２では、２本の通信回線３，４を用いて通信容量Ｍで通信が行われ、かつ予備回線５，６を用いて各々で現用のＭ／２の通信容量で通信が行われる。つまり、４本の回線３，４，５，６で計３Ｍの通信容量で通信が行われることになるので、１ルート当たりの平均通信容量は３Ｍ／４となる。したがって、現用系の通信容量Ｍを減らすことなく冗長系の構成が可能となり、従来に比べて回線利用効率がより向上する。
【００１５】
実施の形態３．
図３（ａ）はこの発明の実施の形態３による光通信装置を示す概略構成図であり、前記図２（ａ）と同一部分には同一符号を附して重複説明を省略する。図３（ａ）において、Ｃ１及びＣ２は各々リングネットワーク１及び２のノード装置、７はノード装置Ｃ１−Ｃ２ルートの通信回線、８はノード装置Ｂ１−Ｃ２で予備系ルートを構成する予備回線、９はノード装置Ｃ１−Ｂ２で予備系ルートを構成する予備回線である。
【００１６】
次に動作について説明する。
平常時は通信回線３，４及び７を使用し、各々通信容量Ｍで通信すると共に、予備回線５，６，８，９で各々現用の３Ｍ／４の通信容量で通信する。そして、通信回線３，４又は７のいずれかに障害が発生すると、予備回線５，６，８，９を用いてバックアップする。
【００１７】
この状態を図３（ｂ）の図表に示している。この図表に示すように、通信回線３，４，７で現用系の通信容量Ｍで通信が行われ、そのとき予備回線５，６，８，９の各々で現用の３Ｍ／４の通信容量で通信が行われる。そして、通信回線３，４，７のいずれかに障害が発生すると、予備回線５，６，８，９を用いて各々予備のＭ／４の通信容量を加えて通信が行われる。
【００１８】
すなわち、実施の形態３では、３本の通信回線３，４，７を用いて各々通信容量Ｍで通信が行われ、かつ予備回線５，６，８，９を用いて各々Ｍ／４の通信容量で通信が行われる。つまり、７本の回線３〜９で計６Ｍの通信容量で通信が行われることになるので、１ルート当たりの平均通信容量は６Ｍ／７となる。したがって、現用系の通信容量Ｍを減らすことなく冗長系の構成が可能となり、従来に比べて回線利用効率がさらに向上する。
【００１９】
【発明の効果】
以上のように、この発明によれば、通信回線で接続されていないノード装置間に予備ルートを構成したので、現用系の通信容量Ｍを減らすことなく回線利用効率の高い冗長系の構成が可能となる。
また、２回線の通信回線に２回線の予備回線を設けたので、平均通信容量は３Ｍ／４となり、回線利用効率のより高い冗長系の構成が可能となる。
【００２０】
この発明によれば、３回線の通信回線に４回線の予備回線を設けたので、平均通信容量は６Ｍ／７となり、回線利用効率のさらに高い冗長系の構成が可能となる。
【図面の簡単な説明】
【図１】  （ａ）はこの発明の実施の形態１による構成図、（ｂ）はルートと通信容量の関係を示す図表である。
【図２】  （ａ）はこの発明の実施の形態２による構成図、（ｂ）はルートと通信容量の関係を示す図表である。
【図３】  （ａ）はこの発明の実施の形態３による構成図、（ｂ）はルートと通信容量の関係を示す図表である。
【図４】  （ａ）は従来の光通信装置の構成図、（ｂ）はルートと通信容量の関係を示す図表である。
【符号の説明】
１，２  リングネットワーク、３，４，７  通信回線、５，６，８，９，  予備回線、Ａ１，Ａ２，Ｂ１，Ｂ２，Ｃ１，Ｃ２  ノード装置。
【図１】
0003759691.tif 000002
【図２】
0003759691.tif 000003
【図３】
0003759691.tif 000004
【図４】
0003759691.tif 000005